(57)【要約】  【課題】  本発明は、洗面器とその他小物を載置する場所が区別され、清掃がし易く、カウンターを傾けても洗面器が滑り落ちない、浴室カウンター及びこの浴室カウンターを備えた浴室ユニットを提供することを目的とする。  【解決手段】  天板と、この天板に設けられる側面及び底面を有する凹部と、天板を支える支持体とを備え、上記凹部が、その平面視領域を天板縁部の連続する一部と共有し、その形状を、天板縁部と共有する始点と終点とを結ぶ線分長さを基準長とし、この始点と終点とを結ぶ線分に平行な凹部の線分長さに上記基準長よりも長い線分を有するものとする浴室カウンター。  【選択図】  図５
2009066116.tif 000002
【特許請求の範囲】
【請求項１】
天板と、この天板に設けられる側面及び底面を有する凹部と、天板を支える支持体とを備え、上記凹部が、その平面視領域を天板縁部の連続する一部と共有し、その形状を、天板縁部と共有する始点と終点とを結ぶ線分長さを基準長とし、この始点と終点とを結ぶ線分に平行な凹部の線分長さに上記基準長よりも長い線分を有するものとする浴室カウンター。
【請求項２】
請求項１において、天板が、下部天板と上部天板の積層体であり、上部天板の切欠により凹部を形成する浴室カウンター。
【請求項３】
請求項１又は２において、凹部側面が、底面に対して傾斜を有する浴室カウンター。
【請求項４】
請求項１乃至３の何れかにおいて、天板及び凹部底面が、凹部中央から凹部が天板縁部と共有する辺へと向かう下り傾斜を有する浴室カウンター。
【請求項５】
請求項１乃至４の何れかに記載の浴室カウンターを備える浴室ユニット。
【発明の詳細な説明】
【技術分野】
【０００１】
本発明は、浴室ユニット、特にそのカウンター部に関する。
【背景技術】
【０００２】
浴室ユニットは、在来工法に比較し、工期を大幅に短くすることを目的として考え出されたもので、浴室を形成する部材を予め作成し、これら部材を施工現場にて組み立てるようにしている。
【０００３】
図１は、浴室ユニットを示す概略透視斜視図である。浴室ユニット１は、底面を防水パン２、側面を壁パネル３、上面を天井パネル４として閉空間を形成している。浴室ユニット１の内部には、防水パン２の上に載置された浴槽５、洗い場正面に設置されたカウンター６、このカウンター６の上方に付設させた水栓７、壁パネル３に固着させた鏡８、室内を照らす灯具９等があり、これらを短時間にて施工することができる。
防水パン２は、浴槽５を載置する浴槽載置防水パンと、洗い場を形成する洗い場防水パンとが、一体成形されたものと、分割されたものとがあり、分割されたものは、施工現場にて２つの防水パンを水密的に結合して使用する。
【０００４】
浴室ユニットの中では、浴槽の存在感が大きいが、浴槽以外ではカウンターに着目する人が多い。カウンターは、使用者が洗い場にいる間、相対で向かい合うこともあり、様々な形状のものが提案されている。
図２は、従来使用されているカウンターを示すもので、カウンター６は、天板に対し、シャンプーボトル、石鹸等を置く上面１０と、洗面器１１を置くための凹部１２とを有している。このようなカウンター６では、洗面器１１の位置が、洗面器１１以外の小物置き場と区別され、使い勝手がよくなっている。
図３は、他の従来使用されているカウンターを示すもので、カウンター６は、矢印に示す向き（洗い場方向）に下り傾斜が設けられており、カウンターの上面１０に湯水が溜まらないようになっている。但し、このカウンター６では、下り傾斜に沿って洗面器１１が落下する場合があるので、落下防止用の突起１３を設けている。
図４は、更に他の従来使用されているカウンターを示すもので、図３に示すカウンターとは逆方向（壁パネル側）への下り勾配を有している。このようなカウンター６では、洗面器１１が、下り傾斜の先にある壁パネルに当たり、突起を設けずとも、洗面器が落下することがない。
【特許文献１】特開２００６−２５８８７号公報
【発明の開示】
【発明が解決しようとする課題】
【０００５】
しかしながら、図２に示すカウンターは、その上面に傾斜がなく、湯水が残ることで湯垢が多くついてしまう課題がある。
図３に示すカウンターは、湯垢が残りにくいものの、洗面器とその他小物を載置する場所の区別がなく、突起周囲の清掃もしにくい。
図４に示すカウンターは、突起がないので、図３に示すものよりは清掃性が高いが、湯水が壁パネルとカウンターとの接触部分に溜まりやすく、図３に示すものと同様に、洗面器とその他小物を載置する場所の区別がない。
【０００６】
本発明は、洗面器とその他小物を載置する場所が区別され、清掃がし易く、カウンターを傾けても洗面器が滑り落ちない、浴室カウンター及びこの浴室カウンターを備えた浴室ユニットを提供することを目的とする。
【課題を解決するための手段】
【０００７】
本発明は以下のものに関する。
（１）天板と、この天板に設けられる側面及び底面を有する凹部と、天板を支える支持体とを備え、上記凹部が、その平面視領域を天板縁部の連続する一部と共有し、その形状を、天板縁部と共有する始点と終点とを結ぶ線分長さを基準長とし、この始点と終点とを結ぶ線分に平行な凹部の線分長さに上記基準長よりも長い線分を有するものとする浴室カウンター。
（２）項（１）において、天板が、下部天板と上部天板の積層体であり、上部天板の切欠により凹部を形成する浴室カウンター。
（３）項（１）又は（２）において、凹部側面が、底面に対して傾斜を有する浴室カウンター。
（４）項（１）乃至（３）の何れかにおいて、天板及び凹部底面が、凹部中央から凹部が天板縁部と共有する辺へと向かう下り傾斜を有する浴室カウンター。
（５）項（１）乃至（４）の何れかに記載の浴室カウンターを備える浴室ユニット。
【発明の効果】
【０００８】
本発明によれば、天板に設けた凹部により、天板上の領域が区分され、凹部に洗面器を載置し、その他小物を凹部以外の天板上に載置することで、使用者が区別して用いることができ、更に、凹部の形状を規定したことで、洗面器が落下することもない。
天板が下部天板と上部天板の積層体である場合は、下部天板を共用として上部天板のみを変更することにより、様々なデザインのカウンターを安価に提供することができる。
凹部側面が底面に対して傾斜を有する場合は、側面が垂直となっているものに比較し、角がなく、清掃性に優れる。
天板及び凹部底面が、凹部中央から凹部が天板縁部と共有する辺へと向かう下り傾斜を有する場合は、天板上及び凹部底面上に湯水が残りにくく、カウンターの上表面全体に湯垢が付きにくい。
本発明の浴室ユニットは、天板上の凹部に洗面器を載置し、その他小物を凹部以外の天板上に載置することができ、更に、洗面器が落下することもないので、使用者が使いやすい。
また、上部天板のみを変更することにより、様々なデザインのカウンターを安価に提供することができ、浴室内の意匠を変化させることができる。
さらに、凹部側面が底面に対して傾斜を有する場合、また天板縁部と共有する辺へと向かう下り傾斜を有する場合は、天板上及び凹部底面上に湯水が残りにくく、カウンターの上表面全体に湯垢が付きにくくなるため、清掃性に優れる。
【発明を実施するための最良の形態】
【０００９】
本発明にて述べるカウンターは、浴室内に設けられ、主に壁パネルに取り付けられるが、これは、例えば壁パネルに取り付けた支持材に対し、カウンターを載置する事で行うことができる。
カウンターの材質は、ＡＢＳ、アクリル、ＦＲＰ等、適宜選択することができるが、湯水の入った洗面器を置ける強度を有し、傷が付きにくいものが好ましい。
本発明にて述べる天板は、カウンターの上面を構成するもので、凹部を有するものであれば、特に限定されるものではない。
【００１０】
天板の平面視形状は、特に限定されないが、壁パネルに接する位置に固定するのであれば、壁パネルと接触する辺を直線とすることが好ましい。また、浴室ユニット内の直交する二辺と浴槽との間にカウンターを配置するのであれば、３つの直線をコ字形状にした外周線を有するものを用いることが好ましい。
【００１１】
天板は、一体成形された成形板を用いることができるが、下部天板と上部天板とに分割されたものを積層して用いることもできる。この場合、両天板の積層は、脱着可能に行うことが好ましく、下部天板を共用として、上天板のみデザインを変更したものを複数種類用いることができる。
下部天板と上部天板との積層固定は、スライド係合、ネジ固定、嵌め込み、ピン止め等を使用することができる。
積層した天板を使用する際には、下部天板と上部天板の双方に、後述する凹部を設けても良いが、上部天板に切欠を設け、これを下部天板に積層させて凹部とすることが好ましい。このようにした場合は、単純に上部天板の模様柄を変えるだけでなく、凹部形状をも容易に変化させることができる。
【００１２】
本発明にて述べる凹部は、先に述べた天板に設けられるものであり、側面及び底面を有する。
ここで述べる底面とは、洗面器を載置する部分を意味し、天板最上面よりも低い位置としている。底面は、水平面である必要はなく、浴室洗い場に向けた下り傾斜を有することが好ましく、このような傾斜があることで、底面上に湯水溜まりができず、湯垢がつくことがない。
また、側面とは、先に述べた底面と天板上面とを結ぶ面を意味し、この面が、底面に対して、鈍角傾斜（使用者の触れられる部分の角度）を有していることが好ましい。鈍化傾斜を有している場合は、清掃が容易であり、ゴミなどが溜まることもない。
【００１３】
本発明にて述べる凹部は、その平面視領域が、天板縁部の連続する一部と共有される。ここで述べる「平面視領域」とは、天板を上方から見下ろした際に、視認できる凹部底面を意味し、「天板縁部の連続する一部」とは、天板を上方から見下ろした際に、視認できる外周線の任意長さを意味する。そしてこれらが「共有される」とは、凹部が、任意の長さを有して天板の外周線と交差することを意味する。
本発明にて述べる天板の１形態を示す平面図である図５を用いて説明すると、凹部１２は、平面視領域１４（斜線部分）を底面として備え、これが天板縁部（天板外周線）１６にまで達する。
【００１４】
本発明にて述べる凹部は、更に、その形状を規定している。凹部は、天板縁部と共有する始点と終点とを結ぶ線分長さを基準長とし、この始点と終点とを結ぶ線分に平行な凹部の線分長さに上記基準長よりも長い線分を有する。
ここで述べる「天板縁部と共有する始点と終点」とは、天板縁部の連続する一部と共有した部分の始点と終点を意味するものであり、図５では始点１７、終点１８として示される。
基準長は、先に述べた始点と終点とを直線で結んだ際の線分長さであり、図５では基準長線分１９として示される。尚、基準長は、図５に示す天板縁部１６の始点１７−終点１８間が曲線である場合、縁部長さよりも短くなり、直線であれば同じ長さとなる。
凹部形状は、始点と終点とを結ぶ線分（図５に示す基準長線分１９）に平行な凹部の線分長さに上記基準長よりも長い線分を有するものであり、図５では、凹部１２の形状が、基準長線分１９よりも長い、線分Ａ２０、線分Ｂ２１等を有するので、本発明にて述べる凹部形状となっている。
【００１５】
図５では、平面視六角形の凹部を一例として示したが、本発明にて述べる凹部の平面視形状は、これに限られるものではない。
図６は、他の凹部形状を示すものである。
（ａ）に示すものは、洗い場側を短くした平面視台形形状の凹部１２であり、凹部１２が洗い場側及び壁側の両方の天板縁部にかかっている。また、上面１０及び凹部１２の底面は、矢印方向（洗い場側）への下り傾斜を有しており、湯水が洗い場へと流出し、溜まらないようになっている。
（ｂ）に示すものは、（ａ）に示すものと同じ平面視台形形状の凹部１２であるが、洗い場側のみが天板縁部にかかり、壁側は天板縁部にかかっていない。また、上面１０及び凹部１２の底面は、矢印方向（洗い場側）への下り傾斜を有しており、湯水が洗い場へと流出し、溜まらないようになっている。
（ｃ）に示すものは、平面視略半円形の凹部１２であり、洗い場側のみが天板縁部にかかり、壁側は天板縁部にかかっていない。また、上面１０及び凹部１２の底面は、矢印方向（洗い場側）への下り傾斜を有しており、湯水が洗い場へと流出し、溜まらないようになっている。
（ｄ）に示すものは、曲線を用いた平面視略Ｔ字形状の凹部１２であり、凹部１２が洗い場側及び壁側の両方の天板縁部にかかっている。また、上面１０及び凹部１２の底面は、矢印方向（洗い場側）への下り傾斜を有しており、湯水が洗い場へと流出し、溜まらないようになっている。
（ｅ）に示すものは、（ｂ）に示す凹部と同一形状の凹部１２でありが、その位置を上面長辺の中央からずらして設けるようにしている。
（ｆ）に示すものは、２本の曲線を用いて凹部１２を設けてあり、左右非対称形状としている。
【００１６】
本発明にて述べる支持体は、先に述べた天板を支えることができるものであれば良く、その形状等を限定されるものではない。より具体的に述べると、支持体は、図８に示すカウンター取り付け縦断面図に示す１例のように、浴室壁面に固定する壁固定板２２ａと、この壁固定板２２ａより水平方向に延設されカウンター天板を載置する横板２２ｂとを備え、前記壁固定板２２ａに設けたビス孔を使い、浴室壁面に固定している。
カウンターの天板１５は、支持体２２の横板２２ｂに備えた凹部２２ｃに天板裏面に設けたリブ２３又はボスを挿入し、支えている。
支持体２２は、横板端部から壁固定板下方まで連続した面（横板と壁固定板とを接続する補強板）にも凹部２２ｃを有していて、浴室カウンターのスカート２４は、その裏面に設けたリブ２４ａ又はボスを前記凹部に挿入し、固定されている。
支持材は、その成形材料に、ＡＢＳ、ＡＥＳ、高密度ポリエチレン等の合成樹脂を用いることが好ましく、特にＡＢＳを用いることが成形性及びコストの点から好ましい。また、支持材の成形方法は、射出成形、押出成形、真空成形等を用いることができ、リブ等が多く複雑な形状である場合には、特に射出成形が好ましい。
【実施例】
【００１７】
以下、本発明の実施例について図面を用いて説明する。
図５は、本発明に係る浴室カウンターの１実施例を説明するカウンター天板であり、（ａ）は平面図、（ｂ）は斜視図を示す。
カウンター６の天板１５平面視形状は、壁パネルと接触する辺と浴槽側の辺を直線とし、また、天板縁部１６を曲線とした。これにより、図１に示す浴室ユニット１のカウンター６として、壁パネルへの取り付けが容易になる。
天板１５の材質は、ＡＢＳで、射出成形にて凹部を一体に成形している。
凹部１２は、天板最上面よりも低く、側面及び底面を有し、底面には洗面器を置くことができる。また、凹部１２の平面視領域１４（斜線部分）が、天板縁部１６まで達していて、底面が浴室洗い場に向けた下り傾斜となっていることで、底面上に湯水溜まりができず、湯垢がつくことがない。
凹部１２の底面は、平面視六角形で、洗面器を置くことができるが、天板縁部１６の基準長線分１９が１３０ｍｍと一般的な洗面器底部の幅寸法よりも狭いので、洗面器が浴室洗い場に落下することがない。
更に、凹部１２の側面は傾斜を有しているため、清掃性に優れる。
【００１８】
図７は、図６（ａ）に示す浴室カウンターを固定した浴室ユニットを示す概略透視斜視図である。
浴室ユニット１は、洗い場を形成する防水パン２の上に壁パネル３を載置している。洗い場正面の壁パネル３には、カウンター６が設置され、このカウンター６の上方に水栓７が付設され、さらに、鏡８、灯具９がある。
カウンター６の取り付け構造を図８の簡略側面図で説明する。
天板１５は、支持体２２で支えている。支持体２２は、その成形材料として、ＡＢＳ樹脂が使われており、成形方法は射出成形とした。そのため、天板１５の裏面には、リブ２３が設けることができ、支持体２２の横板２２ｂに備えた凹部２２ｃに挿入している。
支持体２２は、壁固定板２２ａに設けたビス孔（図示省略）を使い、浴室の壁パネル３に固定している。
浴室カウンターのスカート２４は、その裏面下方部に設けたリブ２４ａを、支持体２２の凹部２２ｃに挿入し、固定されている。
【００１９】
図９は、本発明の別の実施例であり、カウンターの分解斜視図を示す。
カウンター６の形状は、図６（ａ）と同じであるが、カウンター６の天板が下部天板２６と、上部天板２５とに分割されたものである。下部天板２６に上部天板２５を積層固定することで、洗面器を置くための凹部１２が作られる。積層固定は、アクリル系接着剤によって貼り付けている。
【図面の簡単な説明】
【００２０】
【図１】従来例である浴室ユニットを示す概略透視斜視図である。
【図２】従来例であるカウンターを示す平面図及び斜視図である。
【図３】他の従来例であるカウンターを示す平面図及び斜視図である。
【図４】更に他の従来例であるカウンターを示す平面図及び斜視図である。
【図５】本発明の１実施例であるカウンター天板であり、（ａ）は平面図、（ｂ）は斜視図を示す。
【図６】本発明の凹部形状を示す具体例であり、（ａ）は両縁に達する台形形状凹部カウンターの平面図及び斜視図、（ｂ）は片縁に達する台形形状凹部カウンターの平面図及び斜視図、（ｃ）は半円形状凹部カウンターの平面図及び斜視図、（ｄ）は略Ｔ字形状凹部カウンターの平面図及び斜視図、（ｅ）は片側に寄せた片縁に達する台形形状凹部カウンターの平面図及び斜視図、（ｆ）は曲線形状凹部カウンターの平面図及び斜視図を示す。
【図７】図６（ａ）に示す浴室カウンターを固定した浴室ユニットを示す概略透視斜視図である。
【図８】図７に示す浴室カウンターを固定、施工する際の簡略側面図である。
【図９】本発明の他の実施例を示すカウンターの分解斜視図である。
【符号の説明】
【００２１】
１…浴室ユニット、２…防水パン、３…壁パネル、４…天井パネル、５…浴槽、６…カウンター、７…水栓、８…鏡、９…灯具、１０…上面、１１…洗面器、１２…凹部、１３…突起、１４…平面視領域、１５…天板、１６…天板縁部、１７…始点、１８…終点、１９…基準長線分、２０…線分Ａ、２１…線分Ｂ、２２…支持体、２２ａ…壁固定板、２２ｂ…横板、２２ｃ…凹部、２３…リブ、２４…スカート、２４ａ…リブ、２５…上部天板、２６…下部天板
【図１】
2009066116.tif 000003
【図２】
2009066116.tif 000004
【図３】
2009066116.tif 000005
【図４】
2009066116.tif 000006
【図５】
2009066116.tif 000007
【図６】
2009066116.tif 000008
【図７】
2009066116.tif 000009
【図８】
2009066116.tif 000010
【図９】
2009066116.tif 000011